(57)【要約】【課題】端子カバー支持部材の取り付け作業効率を向上させることができる開閉器用ブッシングにおける端子カバー支持部材の固定構造体を提供する。【解決手段】端子部材１４の圧縮固定部１４ｆに取付部材１５を外嵌固定し、取付部材１５に端子カバー支持部材１６を外嵌固定した。詳述すると、端子カバー支持部材１６の切欠部２６と取付部材１５の係合突起２３とを、取付部材１５の係止突起２５と端子カバー支持部材１６の透孔２９とを係合固定することにより、端子カバー支持部材１６は取付部材１５に外嵌固定される。よって、取付部材１５に端子カバー支持部材１６を外嵌することにより、その端子カバー支持部材１６を導電棒１３に簡単に取り付けることができる。また、ピン固定作業やネジ固定作業等の作業が不要であることより、端子カバー支持部材１６の取り付け工数を低減させることができる。【選択図】      図１
2006210072.tif 000002
【特許請求の範囲】
【請求項１】
開閉器ケースに取り付けられた本体碍子を貫通して設けた導電棒の外端部に、端子部材を設け、前記端子部材を覆う端子カバーを、前記導電棒に対して固定された端子カバー支持部材に取り付けるようにした開閉器用ブッシングにおける端子カバー支持部材の固定構造体において、
前記端子部材に形成された圧縮固定部には、前記端子カバー支持部材を取り付けするための取付部材を固定し、
前記取付部材には、前記端子カバー支持部材を外嵌固定したことを特徴とする開閉器用ブッシングにおける端子カバー支持部材の固定構造体。
【請求項２】
前記取付部材には、外周の一部に展開可能とする切込部が形成され、
前記取付部材は、前記端子部材の前記圧縮固定部に外嵌固定されていることを特徴とする請求項１に記載の開閉器用ブッシングにおける端子カバー支持部材の固定構造体。
【請求項３】
前記取付部材と前記端子カバー支持部材との間には、前記取付部材に前記端子カバー支持部材を外嵌固定した場合に、前記端子カバー支持部材の軸方向移動及び回転を防止する係止手段を備えたことを特徴とする請求項１又は請求項２に記載の開閉器用ブッシングにおける端子カバー支持部材の固定構造体。
【発明の詳細な説明】
【技術分野】
【０００１】
本発明は、例えば開閉器ケースに取り付けられるブッシングにおいて、電線接続用の端子を覆う端子カバーを固定するための端子カバー支持部材の固定構造体に関するものである。
【背景技術】
【０００２】
従来、端子カバー支持部材の固定構造体として、次のような構成が知られている。即ち、ブッシングの導電棒に外方から挿通された端子カバー支持部材をブッシング内方にスライドさせて一旦退避させておく。そして、導電棒の外端部に端子部材をかしめ固定（圧縮固定）した後に前記端子カバー支持部材を圧縮固定部近傍に戻す。導電棒に対して形成された径方向へ延びる透孔と、端子カバー支持部材に対して形成された径方向へ延びる透孔とを位置合わせし、両透孔内に一つのピンを挿入して固定する（例えば、特許文献１参照。）。また、端子カバー支持部材（遮断部）に切り込み（割部）を形成し、導電棒の外端部に端子部材をかしめ固定した後に当該圧縮固定部近傍に端子カバー支持部材を取り付ける。そして、その端子カバー支持部材の切り込み部分が展開しないようにネジ固定するようにした端子カバー支持部材の固定構造体もある（例えば、特許文献２参照。）。
【特許文献１】登録実用新案第２５０２０６５号公報
【特許文献２】特開２００２−２４５８８３号公報
【発明の開示】
【発明が解決しようとする課題】
【０００３】
ところが、前記従来の端子カバー支持部材の固定構造体には次のような問題があった。即ち、特許文献１に記載された端子カバー支持部材の固定構造体においては、導電棒に対して端子カバー支持部材を固定する場合には、導電棒の透孔と端子カバー支持部材の透孔とを位置あわせした後、ピンを挿入しなければならず、作業効率が悪かった。
【０００４】
また、特許文献２に記載された端子カバー支持部材の固定構造体においては、切り込みが形成された端子カバー支持部材のその切り込み部分が展開しないようにネジ固定しなければならず、作業効率が悪かった。
【０００５】
本発明は、前述した事情に鑑みてなされたものであって、その目的は、端子カバー支持部材の取り付け作業効率を向上させることができる開閉器用ブッシングにおける端子カバー支持部材の固定構造体を提供することにある。
【課題を解決するための手段】
【０００６】
上記目的を達成するために、請求項１に記載の発明は、開閉器ケースに取り付けられた本体碍子を貫通して設けた導電棒の外端部に、端子部材を設け、前記端子部材を覆う端子カバーを、前記導電棒に対して固定された端子カバー支持部材に取り付けるようにした開閉器用ブッシングにおける端子カバー支持部材の固定構造体において、前記端子部材に形成された圧縮固定部には、前記端子カバー支持部材を取り付けするための取付部材を固定し、前記取付部材には、前記端子カバー支持部材を外嵌固定したことを要旨とする。
【０００７】
請求項２に記載の発明は、請求項１に記載の発明において、前記取付部材には、外周の一部に展開可能とする切込部が形成され、前記取付部材は、前記端子部材の前記圧縮固定部に外嵌固定されていることを要旨とする。
【０００８】
請求項３に記載の発明は、請求項１又は請求項２に記載の発明において、前記取付部材と前記端子カバー支持部材との間には、前記取付部材に前記端子カバー支持部材を外嵌固定した場合に、前記端子カバー支持部材の軸方向移動及び回転を防止する係止手段を備えたことを要旨とする。
【０００９】
（作用）
請求項１に記載の発明によれば、圧縮固定部に固定した取付部材に対して端子カバー支持部材を外嵌固定するだけで、端子カバー支持部材を導電棒に対して固定することができる。よって、ピン固定作業やネジ固定作業を行うことなく、導電棒に対して端子カバー支持部材を固定することができるため、取り付け作業効率を向上させることが可能となる。
【００１０】
請求項２に記載の発明によれば、請求項１に記載の発明の作用に加えて、取付部材は、切込部から展開することにより、圧縮固定部の径方向から圧縮固定部に外嵌することが可能となる。
【００１１】
請求項３に記載の発明によれば、請求項１又は請求項２に記載の発明の作用に加えて、取付部材に端子カバー支持部材を外嵌固定すると、係止手段によって端子カバー支持部材は軸方向移動及び回転が防止される。この結果、端子カバー支持部材は導電棒に固定される。
【発明の効果】
【００１２】
本発明によれば、端子カバー支持部材の取り付け作業効率を向上させることができる。
【発明を実施するための最良の形態】
【００１３】
以下、本発明を開閉器用のブッシングに具体化した一実施形態を図１〜図７に従って説明する。なお、以下の説明では、図１における右側を内方側といい、図１における左側を外方側という。図２〜図７においても、上記内方側及び上記外方側という言葉を、同様の意味で用いる。
【００１４】
［ブッシング１０の概略構成］
図１に示すように、ブッシング１０は、開閉器ケース１１の壁１１ａに貫通支持されている。ブッシング１０は、本体碍子１２、導電棒１３、端子部材１４、取付部材１５、端子カバー支持部材１６、及び端子カバー１７を備えている。
【００１５】
本体碍子１２は、その内方側の端部が、壁１１ａの貫通孔１１ｂに挿入された状態で該壁１１ａに固定されている。導電棒１３は、導電性の金属材料からなる丸棒状に形成され、本体碍子１２を貫通するように配置される。導電棒１３の内方側の端部は、本体碍子１２に固定されると共に、開閉器ケース１１内に配置された可動電極又は固定電極（図示しない）が設けられている。導電棒１３の外方側の端部（以下、外端部１３ａという）は、本体碍子１２の外方側の端部から突出している。導電棒１３の外端部１３ａには、端子部材１４がかしめ固定（圧縮固定）され、端子部材１４のかしめ固定された部分の外周には、取付部材１５が外嵌固定されている。取付部材１５の外周には、端子カバー支持部材１６が外嵌固定され、端子カバー支持部材１６には、端子部材１４を覆う端子カバー１７が外嵌固定されている。
【００１６】
本体碍子１２と導電棒１３とがなす空間には、ウレタンなどの充填剤Ｕが充填されている。即ち、導電棒１３は本体碍子１２、端子カバー支持部材１６、端子カバー１７、及び充填剤Ｕにより覆われている。よって、充電部となる導電棒１３は、防水及び絶縁が図られている。
【００１７】
［本体碍子１２］
図１に示すように、ブッシング１０における本体碍子１２の外方側の端部には、外方側に開口された第１筒部１２ａと第２筒部１２ｂとからなる二重筒が形成されている。第１筒部１２ａと導電棒１３との間には、収容空間Ｓ１が形成されている。第１筒部１２ａと第２筒部１２ｂとの間には収容空間Ｓ２が形成されている。
【００１８】
［端子部材１４］
図１及び図２（ａ）に示すように、端子部材１４は、導電性の金属材料から形成されている。端子部材１４は、板状をなす電線取付部１４ａと、円筒状をなす円筒部１４ｂとを備え、平面視Ｔ字状に一体に形成されている。電線取付部１４ａには、電線（図示略）を接続する際に、当該電線側に設けられた接続端子（図示略）をボルト及びナットで固定するための貫通孔１４ｃが形成されている。
【００１９】
図２（ａ）〜（ｃ）及び図６に示すように、円筒部１４ｂは、内方側に開口された円筒状に形成されており、円筒部１４ｂの内周面１４ｄに導電棒１３の外端部１３ａを挿入後、かしめ工具による圧縮により六角形状にかしめ固定（圧縮固定）されている。このかしめ固定の際、円筒部１４ｂは、圧縮された圧縮固定部１４ｆと圧縮されない筒部１４ｅ，１４ｇとを形成する。
【００２０】
図２（ｂ），（ｃ）に示すように、圧縮固定部１４ｆの最大径ｄ２は、かしめ固定により筒部１４ｅ，１４ｇの直径ｄ１よりも小さく形成される。即ち、圧縮固定部１４ｆと筒部１４ｅ，１４ｇとに段差が形成されている。
【００２１】
［取付部材１５］
図３及び図４（ａ），（ｂ）に示すように、取付部材１５は、円筒状の外周面１５ａと、前記圧縮固定部１４ｆに対応する六角形状の内周面１５ｂとを備えている。取付部材１５は、絶縁性を有し、かつ弾性変形可能な合成樹脂材料により形成されている。取付部材１５の円周（外周）の一部には、軸Ｏ方向に亘って切込部２０が形成されており、当該切込部２０より展開可能とされている。内周面１５ｂの６つの角部には、軸Ｏ方向へ延びる溝２１がそれぞれ形成されている。
【００２２】
図１に示すように、取付部材１５の軸Ｏ方向長さは、圧縮固定部１４ｆの軸Ｏ方向長さと同一長さに形成されている。
図３及び図４（ａ），（ｂ）に示すように、取付部材１５の外周面１５ａには、一対の係合突起２２，２３が突出するように形成されている。両係合突起２２，２３は、取付部材１５の外周面１５ａにおいて互いに反対側に位置するように形成されている。また、両係合突起２２，２３は、外方側の側面が、取付部材１５の外方側の側面と面一になるように形成されている。係合突起２２は、一対の突起２２ａ，２２ｂにより構成され、突起２２ａ，２２ｂは、切込部２０を挟んで対向するように形成されている。よって、取付部材１５は、溝２１が形成されていることにより、その溝２１部分が薄肉となる。そのため、取付部材１５を展開した際に、その溝２１部分から折れ曲がるため展開しやすくなる。また、突起２２ａ，２２ｂを摘んで取付部材１５を展開することができ、該取付部材１５を展開しやすい。
【００２３】
また、取付部材１５の外周面１５ａには、一対の係止突起２４，２５が突出するように形成されている。両係止突起２４，２５は、取付部材１５の外周面１５ａにおいて互いに反対側に位置するように形成され、軸Ｏを基準として前記係合突起２２，２３に対して９０度回転した位置に形成されている。両係止突起２４，２５は、略断面三角形状に形成され、係止面２４ａ，２５ａと、斜面２４ｂ，２５ｂとをそれぞれ備えている。係止面２４ａ，２５ａは、係止突起２４，２５の外方側の側面であると共に軸Ｏと直交する面であり、斜面２４ｂ，２５ｂは、外方側から内方側へ傾斜する面である。両係止突起２４，２５は、係止面２４ａ，２５ａが、取付部材１５の外方側の端面よりもやや内方側に位置するように形成されている。
【００２４】
［端子カバー支持部材１６］
図１，図５及び図６に示すように、端子カバー支持部材１６は、絶縁性を有し、かつ弾性変形可能な合成樹脂材料により形成されており、第１筒部１６ａ、第２筒部１６ｂ、鍔部１６ｃを備えている。第１筒部１６ａ、第２筒部１６ｂ、鍔部１６ｃは一体に形成されている。第１筒部１６ａの内周面は、取付部材１５の外周面１５ａと同一径に形成された挿通孔１６ｄとされている。
【００２５】
第１筒部１６ａの外方側の端部には、一対の切欠部２６，２７が形成されている。両切欠部２６，２７は、取付部材１５の係合突起２３，２２と対応する位置に形成されており、嵌合時両係合突起２３，２２をそれぞれ係合するように形成されている。
【００２６】
第１筒部１６ａには、四角形状をなす一対の収容部としての透孔２９，３０が形成されている。透孔２９，３０は、取付部材１５の係止突起２５，２４と対応する位置にそれぞれ形成されており、嵌合時に両係止突起２５，２４（係止面２５ａ，２４ａ）がそれぞれ係合するように形成されている。さらに説明すると、両透孔２９，３０は、端子カバー支持部材１６の第１筒部１６ａにおいて互いに反対側に位置するように形成され、軸Ｏを基準として前記切欠部２６，２７に対して９０度回転した位置に形成されている。
【００２７】
図１に示すように、鍔部１６ｃは、透孔２９，３０よりも内方側に位置し、第１筒部１６ａの軸Ｏと直交する方向に伸びるように円盤形状に形成されている。また、鍔部１６ｃの先端には、内方側に伸びる円筒状の第２筒部１６ｂが形成されている。第２筒部１６ｂの外周面には、係合凹条３１が全周に亘って形成されている。
【００２８】
［端子カバー１７］
図１に示すように、端子カバー１７の内周面には、係合凸条３２が全周に亘って形成されており、係合凸条３２が係合凹条３１に係合していることにより、端子カバー１７は端子カバー支持部材１６に外嵌固定されている。
【００２９】
［端子カバー支持部材１６の取付状態］
図１に示すように、端子部材１４の圧縮固定部１４ｆには、係合突起２２が下方に位置するように取付部材１５が外嵌されている。さらにいうと、取付部材１５の外周に端子カバー支持部材１６が外嵌されていることにより、取付部材１５は展開不能となることで圧縮固定部１４ｆに外嵌している。従って、取付部材１５は軸Ｏ方向において筒部１４ｅ，１４ｇに係合し、圧縮固定部１４ｆと取付部材１５の内周面１５ｂは相互の形状が係合している。
【００３０】
取付部材１５の外周面１５ａには端子カバー支持部材１６が外嵌している。即ち、外周面１５ａの係合突起２２，２３は端子カバー支持部材１６の切欠部２７，２６にそれぞれ係合している。また、取付部材１５の係止突起２４，２５は端子カバー支持部材１６の透孔３０，２９にそれぞれ係合している。
【００３１】
従って、取付部材１５は筒部１４ｅ，１４ｇに係合することにより、外方側及び内方側（軸Ｏ方向）への移動は規制される。また、圧縮固定部１４ｆと取付部材１５の内周面１５ｂは相互の形状が係合することにより、軸Ｏを中心とする回転が規制される。
【００３２】
端子カバー支持部材１６の切欠部２６，２７が、取付部材１５の外周面１５ａの係合突起２３，２２にそれぞれ係合することにより、端子カバー支持部材１６が外方側へ移動すること、端子カバー支持部材１６が回転することが規制される。また、端子カバー支持部材１６の透孔２９，３０が取付部材１５の係止突起２５，２４とにそれぞれ係合することにより、端子カバー支持部材１６が外方側及び内方側（軸Ｏ方向）へ移動すること、端子カバー支持部材１６が回転することが規制される。
【００３３】
［端子カバー支持部材１６の組み付け手順］
次に、端子カバー支持部材１６の組み付け手順について図１及び図７に従って説明する。
【００３４】
図７に示すように、導電棒１３の外端部１３ａに端子カバー支持部材１６の挿通孔１６ｄを外方側より挿通し、ブッシング１０内の収容空間Ｓ１及び収容空間Ｓ２に、第１筒部１６ａ及び第２筒部１６ｂをそれぞれ収容する。この収容した状態では、本体碍子１２の外方側の端部と鍔部１６ｃの外方側面が同一上に位置することとなる。
【００３５】
次に、導電棒１３の外端部１３ａに端子部材１４の円筒部１４ｂを挿入し、円筒部１４ｂの軸Ｏ方向中央部をかしめ工具により圧縮する。すると、その中央部は六角形状に変形し、さらに、その中央部と対応した位置にある外端部１３ａも六角形状に変形する。この結果、その中央部と外端部１３ａとがかしめ固定（圧縮固定）される。また、円筒部１４ｂにおいて、六角形状に圧縮された中央部は圧縮固定部１４ｆとなり、その圧縮固定部１４ｆの軸Ｏ方向両側にある圧縮されていない部分が、筒部１４ｅ，１４ｇとなる。次に、取付部材１５を切込部２０から展開して、係合突起２２，２３が外方側に位置すると共に、係合突起２２が下方に位置するように、その取付部材１５を前記圧縮固定部１４ｆの外面に上方向より外嵌固定する。このとき、円筒部１４ｂの六角形状に内周面１５ｂの六角形状を合わせる。
【００３６】
次に、図１に示すように、端子カバー支持部材１６を内方側から外方側へ向けて軸Ｏ方向に沿って移動させ、端子カバー支持部材１６の第１筒部１６ａを取付部材１５の外周面１５ａに外嵌する。このとき、係止突起２４，２５を第１筒部１６ａに挿入して、その係止突起２４，２５を透孔３０，２９にそれぞれ係合させる。その際、切欠部２６，２７に係合突起２３，２２がそれぞれ係合する。すなわち、端子カバー支持部材１６が取付部材１５の係止突起２４，２５及び係合突起２２，２３に係合していることにより、端子カバー支持部材１６が取付部材１５に外嵌固定されている。その後、第２筒部１６ｂの係合凹条３１に端子カバー１７の係合凸条３２を係合させることにより、端子カバー１７を端子カバー支持部材１６に外嵌固定する。
【００３７】
尚、本実施形態において、端子部材１４の圧縮固定部１４ｆ、筒部１４ｅ，１４ｇ及び取付部材１５の内周面１５ｂは係合手段を構成する。取付部材１５の係合突起２２，２３、端子カバー支持部材１６の切欠部２６，２７及び取付部材１５の係止突起２４，２５、端子カバー支持部材１６の透孔２９，３０は係止手段を構成する。
【００３８】
従って、本実施形態によれば、以下のような作用・効果を得ることができる。
（１）端子部材１４に形成された円筒部１４ｂに取付部材１５を外嵌し、取付部材１５に端子カバー支持部材１６を外嵌固定した。即ち、円筒部１４ｂの圧縮固定部１４ｆに取付部材１５（内周面１５ｂ）を外嵌した後、端子カバー支持部材１６の切欠部２６，２７と取付部材１５の係合突起２３，２２とを、取付部材１５の係止突起２４，２５と端子カバー支持部材１６の透孔３０，２９とを係合固定するようにした。よって、取付部材１５に端子カバー支持部材１６を外嵌することにより、その端子カバー支持部材１６を導電棒１３に簡単に取り付けることができる。ひいては、端子カバー支持部材１６の取り付け作業効率を向上させることができる。また、ピン固定作業やネジ固定作業等の作業が不要であることより、端子カバー支持部材１６の取り付け工数を低減させることができる。
【００３９】
（２）取付部材１５の内周面１５ｂと圧縮固定部１４ｆの形状を同一形状とし、この取付部材１５を、圧縮固定部１４ｆと、筒部１４ｅ，１４ｇとに嵌合するようにした。よって、取付部材１５を圧縮固定部１４ｆに外嵌することにより、取付部材１５が軸Ｏ方向へ移動すること及び取付部材１５が軸Ｏを中心として回転することが規制され、取付部材１５を固定することができる。ひいては、端子カバー支持部材１６が軸Ｏ方向へ移動すること及び端子カバー支持部材１６が軸Ｏを中心として回転することが規制されるので、端子カバー支持部材１６を導電棒１３に固定することができる。
【００４０】
（３）端子カバー支持部材１６を取付部材１５に外嵌し、端子カバー支持部材１６の切欠部２６，２７と取付部材１５の係合突起２３，２２とが係合すると共に、端子カバー支持部材１６の透孔２９，３０と取付部材１５の係止突起２５，２４とが係合するようにした。よって、端子カバー支持部材１６を取付部材１５に外嵌することにより、端子カバー支持部材１６が外方側及び内方側（軸Ｏ方向）へ移動すること及び端子カバー支持部材１６が回転することが規制され、端子カバー支持部材１６を導電棒１３に固定することができる。
【００４１】
（４）取付部材１５の内周面１５ｂには、六角の各角部に対応する位置に軸Ｏ方向へ延びる溝２１を形成した。よって、内周面１５ｂに溝２１が形成されていることにより、取付部材１５を展開しやすくなり、組み付け作業性を向上させることができる。
【００４２】
（５）取付部材１５は、その係合突起２２を下方に位置するように圧縮固定部１４ｆに外嵌した。そのため、万一雨水が取付部材１５内に浸入しても水切れを良くすることができる。
【００４３】
（６）切込部２０を有する取付部材１５と、端子カバー支持部材１６とを端子部材１４に外嵌固定するようにした。よって、本構成によれば充電部と接地部との漏洩距離も確保される。これは、端子カバー支持部材に切り込みが形成されていると、漏洩距離が短くなるおそれがあるからである。
【００４４】
（７）導電棒１３を本体碍子１２、端子カバー支持部材１６、端子カバー１７、及び充填剤Ｕにより覆うようにした。よって、本体碍子１２の外部（即ち、端子カバー支持部材１６と本体碍子１２の外端面との隙間）から収容空間Ｓ１内に例えば雨水が入り込んでも、この雨水が導電棒１３に接触することはない。さらには、例えば工事の際に使用するバインド線や鳥が営巣のために運んで来る針金等が、端子カバー支持部材１６と本体碍子１２との隙間から入り込んだ場合であっても、これらバインド線や針金等が充電部となる導電棒１３に直接接触することはない。従って、前記バインド線や針金等の侵入に起因する地絡事故、及び開閉器における隣接相のブッシングとの間で発生する相間短絡事故をそれぞれ抑制することができる。
【００４５】
なお、上記実施形態は以下のような別例に変更して具体化してもよい。
・前記実施形態では、取付部材１５の内周面１５ｂに溝２１を形成していたが、その溝２１を省略してもよい。
【００４６】
・前記実施形態では、係止突起２４，２５は、係止面２４ａ，２５ａ、斜面２４ｂ，２５ｂをそれぞれ備えた略断面三角形状に形成されていた。これに限らず、係止突起２４，２５の形状を四角柱状に形成してもよい。
【００４７】
・前記実施形態では、係止突起２４，２５と係合する（係止突起２４，２５を収容する）透孔３０，２９を第１筒部１６ａに形成していた。これに限らず、係止突起２４，２５と係合する（係止突起２４，２５を収容する）収容部としての凹部を第１筒部１６ａの内周面に形成してもよい。
【００４８】
・前記実施形態では、係止突起２４，２５と透孔３０，２９、係合突起２２，２３と切欠部２７，２６とにより係止手段を構成していたが、係止突起２４，２５及び透孔３０，２９のみで係止手段を構成してもよいし、係合突起２２，２３及び切欠部２７，２６のみで係止手段を構成してもよい。
【００４９】
次に、上記実施形態及び別例から把握できる技術的思想について以下に追記する。
（イ）前記取付部材の内周面には、軸方向へ延びる溝が設けられていることを特徴とする請求項２に記載の開閉器用ブッシングにおける端子カバー支持部材の固定構造体。このように構成すると、内周面に溝が設けられていることにより、その溝部分が薄肉となる。そのため、取付部材を展開した際に、その溝部分から折れ曲がるため展開しやすくなる。
【００５０】
（ロ）前記係止手段は、前記取付部材の外周面に突出した係止突起と、前記端子カバー支持部材に形成されると共に前記係止突起に係合する収容部とを備えていることを特徴とする請求項３に記載の開閉器用ブッシングにおける端子カバー支持部材の固定構造体。このように構成すると、係止突起と収容部とが係合することにより、端子カバー支持部材は軸方向移動及び回転が防止される。
【００５１】
（ハ）前記係止手段は、前記取付部材の外周面に突出した係合突起と、前記端子カバー支持部材の端部に形成されると共に前記係合突起に係合する切欠部とを備えたことを特徴とする技術的思想（ロ）に記載の開閉器用ブッシングにおける端子カバー支持部材の固定構造体。このように構成すると、係合突起と切欠部とが係合することにより、端子カバー支持部材は軸方向移動及び回転がより一層防止される。
【００５２】
（ニ）前記取付部材は、前記端子カバー支持部材を外嵌固定することにより、展開不能となるように構成されていることを特徴とする請求項２に記載の開閉器用ブッシングにおける端子カバー支持部材の固定構造体。このように構成すると、圧縮固定部に取付部材を取り付けた後、取付部材に端子カバー支持部材を外嵌固定すると、取付部材は展開不能となる。取付部材が展開不能となることにより、取付部材は圧縮固定部に外嵌固定される。
【図面の簡単な説明】
【００５３】
【図１】本実施形態における開閉器用のブッシングの部分正断面図。
【図２】（ａ）は、端子部材の正面図。（ｂ）は、図２（ａ）のＡ−Ａ線矢視断面図。（ｃ）は、図２（ａ）のＢ−Ｂ線矢視断面図。
【図３】本実施形態における取付部材の斜視図。
【図４】（ａ）は、本実施形態における取付部材の正面図。（ｂ）は、本実施形態における取付部材の平面図。
【図５】本実施形態における端子カバー支持部材の斜視図。
【図６】図１のＣ−Ｃ線矢視断面図。
【図７】本実施形態における取付部材、端子カバー支持部材の組み付け途中の部分正断面図。
【符号の説明】
【００５４】
１１…開閉器ケース、１０…ブッシング、１２…本体碍子、１３…導電棒、１３ａ…外端部、１４…端子部材、１４ｆ…圧縮固定部、１５…取付部材、１５ｂ…内周面、１６…端子カバー支持部材、１７…端子カバー、２０…切込部、２１…溝、２２，２３…係合突起、２４，２５…係止突起、２６，２７…切欠部、２９，３０…収容部としての透孔、Ｏ…軸。
【図１】
2006210072.tif 000003
【図２】
2006210072.tif 000004
【図３】
2006210072.tif 000005
【図４】
2006210072.tif 000006
【図５】
2006210072.tif 000007
【図６】
2006210072.tif 000008
【図７】
2006210072.tif 000009